【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
予め記憶された既存のコンテンツを再利用して、入力された新規案件の設計を支援するアプリケーション要件設計支援システムであって、
前記新規案件に関する情報を受け付ける受付手段と、
前記受け付けた新規案件に関する情報に含まれる業務に関する共通フレームワークを、新規案件に対応する共通フレームワークを記憶した共通フレームワークデータベースから抽出する共通フレームワーク抽出手段と、
対応する既存コンテンツを、前記既存のコンテンツを記憶した既存コンテンツデータベースから抽出する既存コンテンツ抽出手段と、
前記抽出された既存コンテンツを、前記抽出した共通フレームワークに割り当てて、共通フレームワークごとの割当表を作成する共通フレームワーク割当て手段と、
前記作成された割当表にもとづいて、前記受け付けた新規案件に関するアプリケーション要件を抽出するアプリケーション要件抽出手段と、
を備えることを特徴とするアプリケーション要件設計支援システム。
【請求項２】
請求項１において、前記共通フレームワークは、該共通フレームワークに関連する業務に応じて階層的に定義されることを特徴とするアプリケーション要件設計支援システム。
【請求項３】
請求項１において、前記作成された共通フレームワークごとの割当表は、ある拒通フレームワークに対して、該共通フレームワークに関連する業務の課題実現方式及びアプリケーション製品と対応付けられていることを特徴とするアプリケーション要件設計支援システム。
【請求項４】
予め記憶された既存のコンテンツを再利用して、入力された新規案件の設計を支援するアプリケーション要件設計支援システムであって、
前記新規案件に関する情報を受け付ける受付部と、
該共通フレームワークデータベースから、前記受け付けた新規案件に関する情報に含まれる業務に対応する共通フレームワークを抽出する共通フレームワーク抽出部と、
前記既存コンテンツを記憶する既存コンテンツデータベースと、
前記既存コンテンツデータベースから、前記受け付けた新規案件に関する情報に対応する既存コンテンツを抽出する既存コンテンツ抽出部と、
該抽出された既存コンテンツを、前記抽出した共通フレームワークに割り当てるとともに、共通フレームワークごとの割当表を作成する共通フレームワーク割当部と、
該作成された割当表に従って、前記受け付けた新規案件に対応するアプリケーション要件を抽出するアプリケーション要件抽出部と、
を備えることを特徴とするアプリケーション要件設計支援システム。
【請求項５】
請求項４において、前記既存コンテンツデータは、
既存コンテンツに対応する課題実現方式に関する共通フレームワーク、業務機能及びシステム機能を対応付けて格納する課題実現方式機能に関するテーブルと、
既存コンテンツに対応するアプリケーション製品に関する共通フレームワーク、業務機能及びシステム機能を対応付けて格納するアプリケーション製品に関するテーブルと、
を有することを特徴とするアプリケーション要件設計支援システム。
【請求項６】
既存コンテンツを記憶するサーバと、該サーバと接続され、新規案件を受け付けるクライアントとを含み、前記既存コンテンツを用いて前記新規案件の設計を支援するアプリケーション要件設計支援システムにおけるアプリケーション要件設計支援方法であって、
前記クライアントは、前記新規案件に関する情報を受付け、
前記サーバは、新規案件に関する共通フレームワークを拒通フレームワークデータベースに格納し、
前記クライアントは、前記受け付けた新規案件に関する情報に含まれる業務に関する共通フレームワークを、前記共通フレームワークデータベースから抽出し、
前記サーバは、前記既存コンテンツを既存コンテンツデータベースに格納し、
前記クライアントは、前記受け付けた新規案件に関する情報に対応する既存コンテンツを、前記既存コンテンツデータベースから抽出し、
前記クライアントは、前記抽出された既存コンテンツを、前記抽出した共通フレームワークに割り当てて、共通フレームワークごとの割当表を作成し、
前記クライアントは、前記作成された割当表に基づいて、前記受け付けた新規案件に関するアプリケーション要件を抽出する、
事を特徴とするアプリケーション要件設計支援方法。
【請求項７】
請求項４において、
前記新規案件に関する情報は、該新規案件に対応する対象業種及び対象業務を含み、
前記共通フレームワーク抽出部は、前記共通フレームワークデータベースに記憶された共通フレームワークの中から、前記対象業種及び対象業務が一致する共通フレームワークを取得し、該取得した共通フレームワークを、前記共通フレームワークごとの割当表に記憶する、
ことを特徴とするアプリケーション要件設計支援システム。
【請求項８】
請求項５において、
前記既存コンテンツデータベースは、
前記業務課題と共通フレームワークとを対応付ける課題実現方式に関するテーブルと、前記アプリケーション製品に関するテーブルに格納されたアプリケーション製品の機能に関するテーブルとを含み、
前記既存コンテンツ抽出部は、
前記新規案件に関する共通フレームワーク及び業務案件に基づいて、前記課題実現方式に関するテーブルを検索して、前記新規案件に対応する課題実現方式及び共通フレームワークを取得し、
該取得した課題実現方式を、前記共通フレームワークごとの割当表に含まれる前記取得した共通フレームワークに対応して記録し、
前記新規案件に対応する共通フレームワーク及ぶシステム要件に基づいて、前記アプリケーション製品に関するテーブル及び前記アプリケーション製品の機能に関するテーブルを検索して、前記新規案件に対応するアプリケーション製品及び対応する共通フレームワークを取得し、
該取得したアプリケーション製品に関する情報を、前記拒通フレームワークごとの割当表における前記取得した共通フレームワークに対応するアプリケーション製品として記録する、
ことを特徴とするアプリケーション要件設計支援システム。
【請求項９】
請求項４において、
前記共通フレームワーク割当部は、
前記抽出された既存コンテンツの共通フレームワークへの割当てを変更するか否かの入力を受付、該受け付けた情報が、割当を変更する旨の情報である場合は、課題実現方式の割当及びアプリケーション製品の割当を変更する、
ことを特徴とするアプリケーション要件設計支援システム。
【請求項１０】
請求項９において、
前記共通フレームワーク割当部は、
前記受け付けた割当変更するか否かの入力が、前記課題実現方式の割当の変更である場合は、変更対象の課題実現方式と、該課題実現方式の変更内容に基づいて、前記共通フレームワークごとの割当表に含まれる課題実現方式であって、前記変更対象の課題実現方式を変更する、
ことを特徴とするアプリケーション要件設計支援システム。
【請求項１１】
請求項９において、
前記共通フレームワーク割当部は、
前記受け付けた割当変更するか否かの入力が、前記アプリケーション製品の割当の変更である場合は、変更対象のアプリケーション製品と、該アプリケーション製品の変更内容に基づいて、前記共通フレームワークごとの割当表に含まれるアプリケーション製品であって、前記変更対象のアプリケーション製品を変更する、
ことを特徴とするアプリケーション要件設計支援システム。
【請求項１２】
請求項４において、
前記アプリケーション要件抽出部において抽出された新たなシステム機能を含む新システム機能テーブルを格納するアプリケーション要件抽出結果データベースを備える、
ことを特徴とするアプリケーション要件設計支援システム。
【請求項１３】
請求項４において、
課題実現方式とアプリケーション製品の業務機能を記憶し、業務機能別の開発方針を記憶する業務機能対比テーブルを記憶するアプリケーション要件抽出支援データベースを備える、
ことを特徴とするアプリケーション要件設計支援システム。
【請求項１４】
請求項１３において、
前記アプリケーション要件抽出支援データベースは、課題実現方式とアプリケーション製品のシステム機能を記憶し、システム機能別の開発方針を記憶するシステム機能対比テーブルを記憶する、
ことを特徴とするアプリケーション要件設計支援システム。
【請求項１５】
請求項４において、
前記共通フレームワークは、該共通フレームワークに関連する業務に応じて階層的に適宜される、
ことを特徴とするアプリケーション要件設計支援システム。
【請求項１６】
請求項６において、
前記新規案件に関する情報は、該新規案件に対応する対象業種及び対象業務を含み、
前記共通フレームワーク抽出ステップは、さらに、
前記共通フレームワークデータベースに格納された共通フレームワークの中から、前記対象業種及び対象業務が一致する共通フレームワークを取得し、該取得した共通フレームワークを、前記共通フレームワークごとの割当表に記憶する、
ことを特徴とするアプリケーション要件設計支援方法。
【請求項１７】
請求項６において、
前記共通フレームワーク割当ステップは、さらに、
前記抽出された既存コンテンツの共通フレームワークへの割当てを変更するか否かの入力を受け付け、
該受け付けた情報が、割当を変更する旨の情報である場合は、課題実現方式の割当及びアプリケーション製品の割当を変更する、
ことを特徴とするアプリケーション要件設計支援方法。
【請求項１８】
請求項１７において、
前記共通フレームワーク割当ステップは、
前記受け付けた割当を変更するか否かの入力が、前記課題実現方式の割当の変更である場合は、変更対象の課題実現方式と、該課題実現方式の変更内容に基づいて、前記共通フレームワークごとの割当表に含まれる課題実現方式であって、前記変更対象の課題実現方式を経項する、
ことを特徴とするアプリケーション要件設計支援方法。
【請求項１９】
請求項１７において、
前記共通フレームワーク割当ステップは、
前記受け付けた割当を変更するか否かの入力が、前記アプリケーション製品の割当の変更である場合は、変更対象のアプリケーション製品と、該アプリケーション製品の変更内容に基づいて、前記共通フレームワークごとの割当表に含まれるアプリケーション製品であって、前記変更対象のアプリケーション製品を変更する、
ことを特徴とするアプリケーション要件設計支援方法。